(57)【特許請求の範囲】
【請求項１】
デカフルオロペンタンに下記（ａ）群から選択される界面活性剤と（ｂ）群から選択される界面活性剤の両者を混合してなる付着水除去用溶剤組成物。
（ａ）群
【化１】
0003588625.tif 000004
で表されるポリオキシエチレンポリオキシプロピレンフルオロアルキルエーテル型界面活性剤（Ｒｆはパーフルオロアルキル基）
【化２】
0003588625.tif 000005
で表されるＮポリオキシエチレンＮアルキルフルオロアルキルスルホアミド型界面活性剤（Ｒｆはパーフルオロアルキル基、Ｒはアルキル基）
（ｂ）群
【化３】
0003588625.tif 000006
で表されるポリオキシエチレンアルキルアミン型界面活性剤（Ｒはアルキル基）
【化４】
0003588625.tif 000007
で表されるポリオキシエチレンアルキルジアミン型界面活性剤（Ｒはアルキル基）
【化５】
0003588625.tif 000008
で表されるアルキルイミダゾリン型界面活性剤（Ｒはアルキル基）
【請求項２】
（ａ）群の界面活性剤と（ｂ）群の界面活性剤との重量比が９０〜９９．５：１０〜０．５である請求項１に記載された付着水除去用溶剤組成物。
【請求項３】
デカフルオロペンタンが１，１，１，２，３，４，４，５，５，５−デカフルオロペンタンである請求項１に記載された付着水除去用溶剤組成物。
【発明の詳細な説明】
【０００１】
【産業上の利用分野】
本発明は、高度に弗素化された新規なハイドロフルオロカーボンを用いた付着水除去用溶剤組成物であり、さらには精密機械工業、光学機械工業や電子工業等において金属部品・プラスチック部品・ガラス部品等を水洗した後の付着水を溶剤に置換して乾燥するための付着水除去用溶剤組成物に関するものである。
【０００２】
【従来の技術】
最近、精密金属部品、光学部品や電子部品の製造において、加工に水を使用したり水で洗浄する工程が増えており、この工程の後処理として付着水を除去する必要がある。通常この付着水を除去するために、被洗浄物を侵さず低毒性、不燃性、低腐食性等の特性に優れまた洗浄工程及びその洗浄液自体の除去に適当な沸点をもつものとして、クロロフルオロカーボン（例えばＣＦＣ−１１３：沸点約４８℃）に界面活性剤を混合した組成物が多く使用されてきた。しかし、オゾン層保護の観点からウィーン条約やモントリオール議定書に基づき、わが国でもクロロフルオロカーボンについては生産量削減、使用規制等が実施されている。
【０００３】
【発明が解決しようとする課題】
そこで本発明においてはＣＦＣ−１１３  等のクロロフルオロカーボン系付着水除去用溶剤組成物が有する低毒性、不燃性、低腐食性の特性を失うことなく水置換性を持ち、かつ塩素を含まないのでオゾン層を破壊する恐れがない新規のハイドロフルオロカーボン系付着水除去用溶剤組成物を提供することを目的としている。
【０００４】
【課題を解決するための手段】
本発明者らは上記の目的を達成すべく付着水除去用溶剤組成物の研究を進めた結果、デカフルオロペンタンに下記（ａ）群から選択される特定の弗素含有界面活性剤と（ｂ）群から選択される窒素含有界面活性剤の両者を混合してなる組成物が、付着水除去用溶剤組成物として有用なものであることを見いだした。
（ａ）群
【化１】
で表されるポリオキシエチレンポリオキシプロピレンフルオロアルキルエーテル型界面活性剤（Ｒｆはパーフルオロアルキル基）
【化２】
で表されるＮポリオキシエチレンＮアルキルフルオロアルキルスルホアミド型界面活性剤（Ｒｆはパーフルオロアルキル基、Ｒはアルキル基）
（ｂ）群
【化３】
で表されるポリオキシエチレンアルキルアミン型界面活性剤（Ｒはアルキル基）
【化４】
で表されるポリオキシエチレンアルキルジアミン型界面活性剤（Ｒはアルキル基）
【化５】
で表されるアルキルイミダゾリン型界面活性剤（Ｒはアルキル基）
【０００５】
本発明のデカフルオロペンタンとしては、１，１，１，２，３，４，４，５，５，５−デカフルオロペンタン（以下ＨＦＣ−４３−１０ｍｅｅと略す）が例示されるが、他のデカフルオロペンタンから選ばれる１種または２種以上の混合物であってもよい。ＨＦＣ−４３−１０ｍｅｅは、塩素を含まないのでオゾン破壊係数が０、沸点が約５５℃、不燃性であり、低毒性、低腐食性であるため付着水除去用溶剤組成物として適している。
【０００６】
（ａ）群の弗素含有界面活性剤としては、化学式１で表されるポリオキシエチレンポリオキシプロピレンフルオロアルキルエーテル型界面活性剤や化学式２で表されるポリオキシエチレンＮアルキルフルオロアルキルスルホアミド型界面活性剤から選ばれる弗素含有ノニオン界面活性剤であり、単独でもこれらの組み合わせでも差し支えない。化学式１で表されるポリオキシエチレンポリオキシプロピレンフルオロアルキルエーテル型界面活性剤におけるパーフルオロアルキル基Ｒｆは炭素数５〜１８、エチレンオキサイド付加モル数ｎ＝１〜２０、プロピレンオキサイド付加モル数ｍ＝０．５〜２のものが好ましい。化学式２で表されるＮポリオキシエチレンＮアルキルフルオロアルキルスルホアミド型界面活性剤におけるパーフルオロアルキル基Ｒｆは炭素数５〜１８、アルキル基Ｒは炭素数２〜６、エチレンオキサイド付加モル数ｎ＝１〜２０のものが好ましい。
【０００７】
（ｂ）群の窒素含有界面活性剤としては、化学式３で表されるポリオキシエチレンアルキルアミン型界面活性剤、化学式４で表されるポリオキシエチレンアルキルジアミン型界面活性剤、化学式５で表されるアルキルイミダゾリン型界面活性剤であり、単独でもこれらの組み合わせでも差し支えない。化学式３で表されるポリオキシエチレンアルキルアミン型界面活性剤におけるアルキル基Ｒの炭素数は１２〜２２、エチレンオキサイド付加モル数（ｍ＋ｎ）＝０．５〜１０のものが好ましい。化学式４で表されるポリオキシエチレンアルキルジアミン型界面活性剤におけるアルキル基Ｒの炭素数は１２〜１８、エチレンオキサイド付加モル数（ｌ＋ｍ＋ｎ）＝０．５〜１０のものが好ましい。化学式５で表されるアルキルイミダゾリン型界面活性剤としてはアルキル基Ｒの炭素数が１２〜１８のものが好ましい。
【０００８】
（ａ）群の弗素含有ノニオン界面活性剤と（ｂ）群の窒素含有界面活性剤との重量比が９０〜９９．５：１０〜０．５であることが好ましい。（ｂ）群の界面活性剤の重量比が０．５未満では付着水除去能の改善効果が小さく、重量比が１０を越えるとデカフルオロペンタンとの混合物が均一に混じり合わない場合がある。常温で混合物が均一相でなくても沸騰状態で使用すれば均一相の混合物と同様な付着水除去効果を示すが、商品形態としては好ましくない。
【０００９】
界面活性剤合計の配合量はデカフルオロペンタンに対して０．０１〜１０重量％、好ましくは０．１〜５重量％である。界面活性剤が１０重量％以上ではこの処理工程の後も界面活性剤が被処理物の表面に残留する恐れがあり、０．０１重量％以下では付着水除去能力が低下する。
【００１０】
本発明の付着水除去用溶剤組成物は、被処理物をこの中に浸漬し、被処理物に付着している水分を該溶剤組成物に移行させた後、比重差で水分を浮上させることにより被処理物から付着水を除去し、その後該溶剤組成物を、水を熱風乾燥等で除去するよりも低い温度で、乾燥除去する置換乾燥法に有用である。
【００１１】
本発明の付着水除去用溶剤組成物の安定化が必要な場合には、安定剤としてニトロアルカン類、エポキシド類、フラン類、ベンゾトリアゾール類、フェノール類、アミン類から選ばれる少なくとも１種を含有させても良い。
【００１２】
本発明の付着水除去用溶剤組成物の具体的な用途としては、精密機械工業や電子工業等において金属部品・プラスチック部品・光学部品等を水洗した後、被洗浄物を高温に加熱することなくこの付着残留した水を溶剤に置換して乾燥するために好適に使用される。上記のような付着水除去用溶剤組成物として用いる場合、浸漬、シャワー、液中スプレー、超音波浴等の方法が適用できる。
【００１３】
以下実施例により本発明を詳細に説明するが、本発明は下記の実施例に限定されるものではない。実施例で使用した界面活性剤は以下のものである。
Ａ）化学式１におけるパーフルオロアルキル基Ｒｆの炭素数８、エチレンオキサイド付加モル数ｎ＝４〜５、プロピレンオキサイド付加モル数ｍ＝１であるポリオキシエチレンポリオキシプロピレンフルオロアルキルエーテル型界面活性剤
Ｂ）化学式２におけるパーフルオロアルキル基Ｒｆの炭素数８、アルキル基Ｒの炭素数３、エチレンオキサイド付加モル数ｎ＝１０であるＮポリオキシエチレンＮアルキルフルオロアルキルスルホアミド型界面活性剤
Ｃ）化学式３におけるアルキル基Ｒの炭素数１８、エチレンオキサイド付加モル数ｍ＝１、ｎ＝１であるポリオキシエチレンアルキルアミン型界面活性剤
Ｄ）化学式４におけるアルキル基Ｒの炭素数１８、エチレンオキサイド付加モル数ｌ＝１、ｍ＝１、ｎ＝１であるポリオキシエチレンアルキルジアミン型界面活性剤
Ｅ）化学式５におけるアルキル基Ｒの炭素数が１８であるアルキルイミダゾリン型界面活性剤
【００１４】
【実施例１〜８】
２５ｍｌ（ミリリッター）メスシリンダーに純水３ｍｌを入れ、８ｍｌの標線まで直径０．４ｍｍのガラスビーズを入れた。その後表１に示すような比率で弗素含有ノニオン界面活性剤Ａ又はＢと窒素を含有するノニオン又は両性界面活性剤Ｃ、Ｄ又はＥを混合し、この混合界面活性剤を０．５部含有するＨＦＣ−４３−１０ｍｅｅを２５ｍｌの標線まで入れた。入れ始め直後より一定時間毎に上に浮かび上がってくる水の量を測定して、その割合を脱水率とした。結果を表１に示す。
【００１５】
0003588625.tif 000002
【００１６】
【比較例１】
ＨＦＣ−４３−１０ｍｅｅに界面活性剤を含有させずに実施例１と同様な操作を行った。結果を表１に示す。
【００１７】
【比較例２，３】
ＨＦＣ−４３−１０ｍｅｅに弗素含有ノニオン界面活性剤（Ａ又はＢ）のみを含有させて実施例１と同様な操作を行った。結果を表１に示す。
【００１８】
【比較例４】
ＨＦＣ−４３−１０ｍｅｅに窒素含有界面活性剤（Ｃ）のみを含有させて実施例１と同様な操作を行った。結果を表１に示す。
【００１９】
【比較例５】
ＣＦＣ−１１３  に界面活性剤を含有させた従来市販の付着水除去用溶剤組成物（三井・デュポンフロロケミカル（株）製フレオン（登録商標）Ｔ−ＤＦＣ）で実施例１と同様な操作を行った。結果を表１に示す。
【００２０】
表１から明らかなように、デカフルオロペンタン単独やデカフルオロペンタンに弗素含有ノニオン界面活性剤だけを混合してなる組成物では被処理物に付着している水分を除去できないが、デカフルオロペンタンに特定の弗素含有ノニオン界面活性剤と特定の窒素含有界面活性剤を混合してなる本発明の付着水除去用溶剤組成物は被処理物に付着している水分を効率的に脱離移行させる。
【００２１】
【実施例９】
清浄な２．５×７．５ｍｍのスライドグラスを脂肪族炭化水素系洗浄剤（デュポン社製洗浄剤アクサレル（登録商標）３２）中に６５℃で１分間浸漬した。その後、脂肪族炭化水素系洗浄剤と水のエマルジョン中に６０℃で１分間、更に６５℃の温水中に１分間、次に別の６５℃温水中に１分間静置した後、実施例６の組み合わせの界面活性剤を０．５重量％含有するＨＦＣ−４３−１０ｍｅｅの沸騰液中に１分間静置した後、ＨＦＣ−４３−１０ｍｅｅの蒸気相に１分間静置して、スライドグラスの外観を目視して評価した。結果を表２に示す。
【００２２】
【比較例６】
ＨＦＣ−４３−１０ｍｅｅの沸騰液中に界面活性剤を含有させずに実施例９と同様な操作を行った。結果を表２に示す。
【００２３】
【比較例７】
清浄な２．５×７．５ｍｍのスライドグラスを脂肪族炭化水素系洗浄剤（デュポン社製洗浄剤アクサレル（登録商標）３２）中に６５℃で１分間浸漬した。その後、脂肪族炭化水素系洗浄剤と水のエマルジョン中に６０℃に１分間、更に６５℃の温水中に１分間、次に別の６５℃温水中へ１分間静置した後、８５℃の熱風で５分間乾燥し、スライドグラスの外観を目視して評価した。結果を表２に示す。
【００２４】
0003588625.tif 000003
【００２５】
表２から明らかなように、本発明の付着水除去用溶剤組成物を用いて乾燥すれば、被処理物の仕上がりが良好である。
【００２６】
【発明の効果】
本発明の付着水除去用溶剤組成物は、実施例からも明らかなように被洗浄物からの水分の除去置換能があり、そしてオゾン層に悪影響を与えることなく従来賞用されてきたＣＦＣ−１１３  と同様な使用方法が採用できる。